(57)【要約】【課題】使用時に作業者によって電源スイッチがＯＮされずにセンサ部による外部環境の変化を検知する動作が行われていない状態で、作業者が作業を行うことを防止することができる検知器を提供することを課題とする。【解決手段】未使用時にホルダ２に載置可能に構成され、使用時にホルダ２から取外される、検知器１であって、外部環境の変化を検知するセンサ部１１を備え、センサ部１１は、電源がＯＮされたとき、または、電源がＯＮされたとき以外の所定条件を満たしたときに、電力が供給されて、外部環境の変化を検知する動作を開始するものであり、所定条件は、検知器１がホルダ２から取外されてから電源がＯＮされていない状態で所定時間経過したこととされる。【選択図】図１
2019158895.tif 000002
【特許請求の範囲】
【請求項１】
未使用時にホルダに載置可能に構成され、使用時に前記ホルダから取外される、検知器であって、
外部環境の変化を検知するセンサ部を備え、
前記センサ部は、電源がＯＮされたとき、または、前記電源がＯＮされたとき以外の所定条件を満たしたときに、電力が供給されて、外部環境の変化を検知する動作を開始するものであり、
前記所定条件は、前記検知器が前記ホルダから取外されてから前記電源がＯＮされていない状態で所定時間経過したこと、とされる、
検知器。
【発明の詳細な説明】
【技術分野】
【０００１】
本発明は、検知器の技術に関する。
【背景技術】
【０００２】
従来、外部環境の変化を検知するセンサ部を備える検知器に関する技術は公知となっている（特許文献１参照）。前記ガス検知器のセンサ部は、例えば、酸素センサ、ＣＯセンサ、メタンセンサ、または、都市ガスセンサ等のガスセンサで構成される。
また、前記検知器には、未使用時にホルダに載置可能に構成され、使用時にホルダから取外される構成のものがある。前記検知器は、ホルダに載置された状態で検知器の動作に要する電力が電池部に充電され、ホルダから取外されて作業者に装着された状態で使用される。
【先行技術文献】
【特許文献】
【０００３】
【特許文献１】特開２００１−２５０１７７号公報
【発明の概要】
【発明が解決しようとする課題】
【０００４】
しかしながら、前記検知器では、作業者によって電源スイッチがＯＮされると、電池部からセンサ部に電力が供給されて、センサ部が外部環境の変化を検知する動作を開始する。
つまり、前記検知器では、電源スイッチがＯＮされないと、電池部からセンサ部に電力が供給されず、センサ部が外部環境の変化を検知する動作が開始されない。
このため、前記検知器では、使用時に作業者によって電源スイッチがＯＮされずにセンサ部による外部環境の変化を検知する動作が開始されていない状態で、作業者による作業が行われてしまう場合があるという問題があった。
【０００５】
本発明は以上の如き状況に鑑みてなされたものであり、使用時に作業者によって電源スイッチがＯＮされずにセンサ部による外部環境の変化を検知する動作が行われていない状態で、作業者が作業を行うことを防止することができる検知器を提供することを課題とする。
【課題を解決するための手段】
【０００６】
本発明の解決しようとする課題は以上の如くであり、次にこの課題を解決するための手段を説明する。
【０００７】
即ち、本願に開示する検知器においては、未使用時にホルダに載置可能に構成され、使用時に前記ホルダから取外される、検知器であって、外部環境の変化を検知するセンサ部を備え、前記センサ部は、電源がＯＮされたとき、または、前記電源がＯＮされたとき以外の所定条件を満たしたときに、電力が供給されて、外部環境の変化を検知する動作を開始するものであり、前記所定条件は、前記検知器が前記ホルダから取外されてから前記電源がＯＮされていない状態で所定時間経過したこと、とされるものである。
【発明の効果】
【０００８】
本発明の効果として、以下に示すような効果を奏する。
即ち、本発明によれば、使用時に作業者によって電源スイッチがＯＮされずにセンサ部による外部環境の変化を検知する動作が行われていない状態で、作業者が作業を行うことを防止することができる。
【図面の簡単な説明】
【０００９】
【図１】本発明の実施形態に係る検知器とホルダとを示す斜視図。
【図２】同じく検知器を示す正面図。
【図３】同じく検知器を示す側面図。
【図４】同じく検知器を示すブロック図。
【図５】同じく検知器の動作を示すフロー図。
【図６】同じく検知器の動作を示すフロー図。
【図７】同じく検知器の動作を示すフロー図。
【図８】同じく検知器の動作を示すフロー図。
【発明を実施するための形態】
【００１０】
次に、図１から図８に記載の検知器１について説明する。
【００１１】
検知器１は、作業者に携帯された状態で、周辺大気中における所定の被検知ガスの検知を行う。
図１に示すように、検知器１は、ホルダ２に載置可能に構成される。検知器１は、ホルダ２に載置された状態で検知器１の動作に要する電力が充電される。検知器１は、未使用時にホルダ２に載置され、使用時にホルダ２から取外される。検知器１は、作業者に装着された状態で使用される。
図１から図４に示すように、検知器１は、制御部１０と、センサ部１１と、表示部１２と、報知部１３と、電源スイッチ１４と、電源表示部１５と、装着部１６と、電池部１７と、充電端子１８と、を備える。
【００１２】
検知器１の制御部１０は、検知器１（センサ部１１、報知部１３、電源スイッチ１４、電源表示部１５、装着部１６、および、電池部１７）の各種動作を制御する。制御部１０は、時計部（例えばリアルタイムクロック）を備える。
【００１３】
検知器１のセンサ部１１は、外部環境の変化を検知する。センサ部１１は、電池部１７から電力が供給されると外部環境の変化を検知する動作を開始し、電池部１７からの電力の供給が停止されると外部環境の変化を検知する動作を停止する。センサ部１１は、例えば、被検知ガス（被検知ガスの濃度）を検知するガスセンサであり、酸素センサ、ＣＯセンサ、または、都市ガスセンサ等で構成される。センサ部１１では、例えば、公知の半導体式センサ素子や接触燃焼式センサ素子等が使用できる。
【００１４】
検知器１の表示部１２は、センサ部１１が検知した被検知ガスの種類および被検知ガスの濃度等の各種の情報を表示する。
【００１５】
検知器１の報知部１３は、検知器１または作業環境等に関する各種の状態を作業者に報知するものであり、例えば、センサ部１１が検知した被検知ガスの濃度が所定値以上であるときに、報知動作を行う。報知部１３は、例えば、警報音または警報メッセージ等の音声、または、警報ランプによる光を発すること等によって報知動作を行う。
【００１６】
検知器１では、作業者によって電源スイッチ１４がＯＮ（ＯＮ操作）されると、検知状態（通常検知状態）として電池部１７からセンサ部１１に電力が供給されて、センサ部１１が外部環境の変化を検知する動作を開始する。検知状態では、センサ部１１は連続して外部環境の変化を検知する。作業者によって電源スイッチ１４がＯＦＦ（ＯＦＦ操作）され、また、検知器１がホルダ２に載置されると、停止状態として電池部１７からの電源の供給が停止されて、センサ部１１が外部環境の変化を検知する動作を停止する。
【００１７】
検知器１の電源表示部１５は、電源スイッチ１４がＯＮまたはＯＦＦされたことを作業者が認識できるように表示する。電源表示部１５は、例えば電源ランプで構成され、電源スイッチ１４がＯＮされると点灯（連続点灯）し、電源スイッチ１４がＯＦＦされると消灯する。また、検知器１は、電源表示部１５を備えずに、電源スイッチ１４がＯＮまたはＯＦＦされたことを、表示部１２に表示する構成とすることもできる。
【００１８】
検知器１の装着部１６は、検知器１を作業者（作業者の衣類）に装着するためのものであり、検知器１の背部に配置される。装着部１６は、クリップ状に構成されて、作業者の衣類を挟み込むようにして、検知器１が作業者に装着された状態を保持する。
【００１９】
検知器１の電池部１７は、充電式電池（二次電池）であり、検知器１の動作に要する電力が蓄電される。
【００２０】
ホルダ２は、座部２０と、電力供給端子２１と、を備える。
座部２０は、検知器１がホルダ２に載置されたときに嵌合するような凹状に形成される。
電力供給端子２１は、検知器１がホルダ２に載置（ホルダ２の座部２０に配置）された状態で、検知器１の充電端子１８と当接するように座部２０に配置される。
検知器１は、ホルダ２に載置されたときに検知器１の充電端子１８とホルダ２の電力供給端子２１とが接触した状態となり、検知器１の充電端子１８およびホルダ２の電力供給端子２１を介してホルダ２から電力が供給されて、検知器１の電池部１７に電力に充電される。
【００２１】
検知器１は、ホルダ２から取外されたことを検知する。検知器１は、ホルダ２から取外されたときに、例えば、検知器１の充電端子１８とホルダ２の電力供給端子２１とが接触しなくなってホルダ２から電力が供給されなくなったことを制御部１０が検知することによって、検知器１がホルダ２から取外されたことを検知する。また、検知器１は、ホルダ２から取外されたことを検知するスイッチまたはセンサ等を備えて構成することもできる。
【００２２】
なお、検知器１とホルダ２とは、検知器１がホルダ２に載置されたときに、各種の情報が送受信される構成とすることもできる。また、検知器１とホルダ２とは、電池部１７を交換式の一次電池で構成し、検知器１をホルダ２に載置したときに、検知器１の電池部１７に充電されない構成とすることもできる。
【００２３】
次に、検知器１におけるセンサ部１１が外部環境の変化を検知する動作を開始する一連の動作、すなわち検知器１がホルダ２から取外された後の動作について、図５から図８を用いて説明する。
【００２４】
図５に示すように、検知器１では、まず、電源スイッチ１４がＯＮ操作されたか否かについて、制御部１０が判断する（ステップＳ１）。
電源スイッチ１４がＯＮ操作された、と制御部１０が判断しない場合、ステップＳ２に移行する。
電源スイッチ１４がＯＮ操作された、と制御部１０が判断した場合、ステップＳ３に移行する。
【００２５】
次に、検知器１では、所定条件を満たすか否かについて、制御部１０が判断する（ステップＳ２）。
所定条件を満たす、と制御部１０が判断しない場合、ステップＳ１に移行する。
所定条件を満たす、と制御部１０が判断した場合、ステップＳ３に移行する。
【００２６】
次に、検知器１では、検知状態として、センサ部１１が外部環境の変化を検知する動作を開始する（ステップＳ３）。
このとき、制御部１０からの指示（指示信号）によって、電源表示部１５が点灯し、電池部１７から電力が供給されてセンサ部１１が外部環境の変化を検知する動作を開始する。
【００２７】
このようにして、検知器１では、センサ部１１が外部環境の変化を検知する動作を開始する。
【００２８】
以上のように、所定条件を満たしたときにセンサ部１１が外部環境の変化を検知する動作を開始する、検知器１では、使用時に作業者によって電源スイッチ１４がＯＮされなくても、所定条件を満たしたときにセンサ部１１が外部環境の変化を検知する動作を開始する。
したがって、検知器１によれば、使用時に作業者によって電源スイッチ１４がＯＮされずにセンサ部１１による外部環境の変化を検知する動作が行われていない状態で、作業者が作業を行うことを防止することができる。またこのため、検知器１によれば、例えば、人体に有害なガス等が発生し得る環境下での使用者の安全性を高めることができる。
【００２９】
検知器１は、ステップＳ１において電源スイッチ１４がＯＮ操作されても検知状態とならない（センサ部１１が外部環境の変化を検知する動作を開始しない）ように、または、ステップＳ２において所定条件を満たすと制御部１０が判断しても検知状態とならないように、スイッチ等の操作具で予め設定することもできる。
前記電源スイッチ１４がＯＮ操作されても検知状態とならないように設定されているとき、検知器１におけるセンサ部１１が外部環境の変化を検知する動作を開始する一連の動作は、ステップＳ２から始められる。
【００３０】
検知器１では、ステップＳ３において、報知部１３による報知動作を所定時間行った後に、センサ部１１が外部環境の変化を検知する動作を開始する構成とすることもできる。
このとき、報知部１３は、時間の経過とともに、発する報知音（音声または警報音）が次第に大きくなるように構成することもできる。また、報知部１３は、時間の経過とともに、短音から長音（例えば「ピピピ」から「ピーピーピー」）、または、長音から短音の
ように、発する報知音のパターンが変更される構成とすることもできる。
報知部１３による報知動作中に電源スイッチ１４がＯＮ操作されると、報知部１３による報知が中止されて、センサ部１１が外部環境の変化を検知する動作を直ちに開始する。
【００３１】
以上のように、報知部１３による報知動作を所定時間行った後に、センサ部１１が外部環境の変化を検知する動作を開始する、検知器１では、作業者によって電源スイッチ１４がＯＮされず、所定条件を満たしてセンサ部１１が外部環境の変化を検知する動作を開始する前に、報知部１３による報知動作が行われる。
したがって、検知器１によれば、使用時に作業者によって電源スイッチ１４がＯＮされずにセンサ部１１による外部環境の変化を検知する動作が行われていない状態で、作業者が作業を行うことを確実に防止することができる。
【００３２】
また、検知器１では、所定条件を、検知器１が作業者に装着されたこと、とすることができる。
このとき、作業者の衣類を挟み込むときに行われる装着部１６が広げられる動作を制御部１０が検知することによって、検知器１が作業者に装着されたことが検知される構成とすることができる。
またこのとき、加速度センサまたはモーションセンサ等の傾きを検知するものを備え、検知器１がホルダ２から取外されて（持出されて）傾いたことや、装着時における検知器１の傾き等を加速度センサ等が検知することによって、検知器１が作業者に装着されたことが検知される構成とすることもできる。
またこのとき、フォトセンサ（光センサ）等の光の明暗を検知するものを備え、検知器１が例えばポケットや袋物等に収納されて検知器１の周囲が暗い状態となったことをフォトセンサが検知することによって、検知器１が作業者に装着されたことが検知される構成とすることもできる。
ここで、「作業者に装着」とは、作業者の衣服、ベルト、帽子、または、ヘルメット等
に検知器１が直接装着されることの他に、作業者の衣服のポケットに検知器１が収納されること、作業者が身に着けている鞄等の袋物やケース等に検知器１が収納されること、または、検知器１が作業者に持たれた状態が継続すること等についても含む。
【００３３】
以上のように、所定条件は検知器１が作業者に装着されたこととされる、検知器１では、使用時に作業者によって電源スイッチ１４がＯＮされなくても、検知器１が作業者に装着されたときにセンサ部１１が外部環境の変化を検知する動作を開始する。
したがって、検知器１によれば、使用時に作業者によって電源スイッチ１４がＯＮされずにセンサ部１１による外部環境の変化を検知する動作が行われていない状態で、作業者が作業を行うことを確実に防止することができる。
また、検知器１によれば、検知器１が作業者に装着されたときにセンサ部１１が外部環境の変化を検知する動作を開始することから、検知器１がホルダ２から取外されてから検知器１が使用されるまで（検知器１が装着されるまで）に、無駄な電力消費を抑制することができる。
【００３４】
また、検知器１では、所定条件を、検知器１がホルダ２から取外されてから所定時間を経過したこと、とすることができる。
このとき、検知器１では、検知器１がホルダ２から取外されたことを制御部１０が検知した後、予め設定される所定時間を経過したと制御部１０が判断することによって、検知器１がホルダ２から取外されてから所定時間を経過したことが検知される。
検知器１は、所定時間を、検知器１がホルダ２から取外されてから、例えば、１０分後または３０分後等のように、任意の時間に予め設定することができるように構成される。
【００３５】
以上のように、所定条件は検知器１がホルダ２から取外されてから所定時間を経過したこととされる、検知器１では、使用時に作業者によって電源スイッチ１４がＯＮされなくても、検知器１がホルダ２から取外されてから所定時間を経過したときにセンサ部１１が外部環境の変化を検知する動作を開始する。
したがって、検知器１によれば、使用時に作業者によって電源スイッチ１４がＯＮされずにセンサ部１１による外部環境の変化を検知する動作が行われていない状態で、作業者が作業を行うことを確実に防止することができる。
また、検知器１によれば、検知器１がホルダ２から取外されてから所定時間を経過したときにセンサ部１１が外部環境の変化を検知する動作を開始することから、検知器１がホルダ２から取外されてから検知器１が使用されるまで（所定時間が経過するまで）に、無駄な電力消費を抑制することができる。
【００３６】
また、検知器１では、所定条件を、検知時間になったこと、とすることができる。
このとき、検知器１では、予め設定される検知時間になったと制御部１０が判断することによって、検知時間になったことが検知される。
検知器１は、検知時間を、例えば、作業開始時間に合わせて、月曜日から金曜日のＡＭ８：３０または毎日ＰＭ１３：００等のように、任意の時間に予め設定することができるように構成される。
【００３７】
以上のように、所定条件が検知時間になったこととされる、検知器１では、使用時（例えば、作業開始時間）に作業者によって電源スイッチ１４がＯＮされなくても、検知時間になったときにセンサ部１１が外部環境の変化を検知する動作を開始する。
したがって、検知器１によれば、使用時に作業者によって電源スイッチ１４がＯＮされずにセンサ部１１による外部環境の変化を検知する動作が行われていない状態で、作業者が作業を行うことを確実に防止することができる。また、検知器１によれば、検知時間になったときにセンサ部１１が外部環境の変化を検知する動作を開始することから、例えば、作業開始時間が定まっている場合において、検知時間を作業開始時間に設定することにより、好適に用いることができる。
検知器１は、ホルダ２に載置されている状態で検知時間になった場合には、検知状態とならないように、スイッチ等の操作具で予め設定することもできる。このようにすることによって、必要なとき（ホルダ２に載置されていないとき）のみに検知状態とすることができ、無駄な電力消費を抑制することができる。
【００３８】
検知器１では、所定条件を、前述した具体例のような複数個の条件を組合わせて、複数個の条件のうちいずれか一つの条件を満たすこと、または、複数個の条件を満たすこと、とすることもできる。
所定条件を複数個の条件を組合わされたものとする場合の、ステップＳ２における一連の動作について、以下に説明する。
【００３９】
図６に示すように、検知器１では、まず、検知器１が作業者に装着されたか否かについて、制御部１０が判断する（ステップＳ２１）。
検知器１が作業者に装着された、と制御部１０が判断しない場合、ステップＳ２２に移行する。
検知器１が作業者に装着された、と制御部１０が判断した場合、ステップＳ３に移行する。
【００４０】
次に、検知器１がホルダ２から取外されてから所定時間経過したか否かについて、制御部１０が判断する（ステップＳ２２）。
検知器１がホルダ２から取外されてから所定時間経過した、と制御部１０が判断しない場合、ステップＳ２１に移行する。
検知器１がホルダ２から取外されてから所定時間経過した、と制御部１０が判断した場合、ステップＳ３に移行する。
【００４１】
また、図７に示すように、検知器１では、ステップＳ２２において検知器１がホルダ２から取外されてから所定時間経過したと制御部１０が判断しない場合、ステップＳ２３に移行し、検知時間になったか否かについて、制御部１０が判断する（ステップＳ２３）こともできる。
検知時間になった、と制御部１０が判断しない場合、ステップＳ２１に移行する。
検知時間になった、と制御部１０が判断した場合、ステップＳ３に移行する。
【００４２】
以上のように、所定条件が複数個の条件が組合わされるものとされる、検知器１では、使用時に作業者によって電源スイッチ１４がＯＮされなくても、種々の状況に応じてセンサ部１１が外部環境の変化を検知する動作を開始する。
また以上のように、所定条件は、検知器１が作業者に装着されたこと、および、検知器１がホルダ２から取外されてから所定時間経過したこと、を少なくとも含むとされる、検知器１では、使用時に作業者によって電源スイッチ１４がＯＮされなくても、検知器１が作業者に装着されたとき、または、検知器１がホルダ２から取外されてから所定時間を経過したときに、センサ部１１が外部環境の変化を検知する動作を開始する。また以上のように、所定条件は、検知器１が作業者に装着されたこと、検知器１がホルダ２から取外されてから所定時間経過したこと、および、検知時間になったこと、を少なくとも含むとされる、検知器１では、使用時に作業者によって電源スイッチ１４がＯＮされなくても、検知器１が作業者に装着されたとき、検知器１がホルダ２から取外されてから所定時間を経過したとき、または、検知時間になったときに、センサ部１１が外部環境の変化を検知する動作を開始する。
したがって、検知器１によれば、使用時に作業者によって電源スイッチ１４がＯＮされずにセンサ部１１による外部環境の変化を検知する動作が行われていない状態で、作業者が作業を行うことを確実に防止することができる。
【００４３】
検知器１は、ステップＳ２１において検知器１が作業者に装着されたと制御部１０が判断しても検知状態とならない（センサ部１１が外部環境の変化を検知する動作を開始しない）ように、ステップＳ２２において検知器１がホルダ２から取外されてから所定時間経過したと制御部１０が判断しても検知状態とならないように、または、ステップＳ２３において検知時間になったと制御部１０が判断しても検知状態とならないように、スイッチ等の操作具で予め設定することもできる。
【００４４】
図８に示すように、検知器１では、ステップＳ２において所定条件を満たすと制御部１０が判断しない場合（所定条件を満たしていないとき）、ステップＳ４に移行し、予備検知状態とする（ステップＳ４）こともできる。予備検知状態では、所定条件を満たしたときにおけるセンサ部１１が外部環境の変化を検知する動作（通常検知状態におけるセンサ部１１の連続して外部環境を検知する動作）とは異なるパターンで、予備的に、センサ部１１が外部環境の変化を検知する。ここで、「予備的にセンサ部１１が外部環境の変化を検知する」とは、検知器１がホルダ２から取外されてから所定条件を満たすまで、所定条件を満たしたときにおけるセンサ部１１の動作と比べて消費電力が少なるように、センサ１１が外部環境の変化を検知することを示す。予備検知状態では、所定条件を満たしたときにおけるセンサ部１１の動作と比べて費電力が少なるように、センサ部１１は、所定時間、間欠的または断続的に外部環境の変化を検知する。予備検知状態では、例えば、検知器１がホルダ２から取外されてから５分経過後にセンサ部１１が外部環境の変化を検知する動作を開始する。そして、検知器１がホルダ２から取外されてから電源スイッチ１４がＯＮされるまでまたは所定条件を満たすまで、前記センサ部１１が外部環境の変化を検知する動作を１０分間継続し、その後、センサ部１１が外部環境の変化を検知する動作を５分間停止することを、所定時間繰返し行う。
予備検知状態とした後、ステップＳ１に移行する。
【００４５】
検知器１では、予備検知状態において、例えば、検知器１がホルダ２から取外された直後に、センサ部１１が間欠的または断続的にセンサ部１１が外部環境の変化を検知する動作を開始する構成とすることもできる。また、検知器１では、予備検知状態中に（センサ部１１が間欠的または断続的に外部環境の変化を検知しているときに）、センサ部１１が検知した被検知ガスの濃度が所定値以上である場合、電源スイッチ１４がＯＮされた場合、または、所定条件を満たす場合、にステップ３に移行する構成とすることもできる。
【００４６】
以上のように、検知器１がホルダ２から取外されてから所定条件を満たすまで、所定条件を満たしたときにおけるセンサ部１１が外部環境の変化を検知する動作とは異なるパターンで、予備的に、センサ部１１が外部環境の変化を検知する（予備検知状態とされる）、検知器１では、検知器１がホルダ２から取外されてから、作業者によって電源スイッチ１４がＯＮされず、且つ、所定条件を満たしていないときでも、予備検知状態としてセンサ部１１による外部環境の変化を検知する動作が行われる。
したがって、検知器１によれば、所定の条件を満たしていないときでも、作業者が作業を行っている状態で、センサ部１１による外部環境の変化の検知を予備的に行うことができる。
【００４７】
検知器１では、予備検知状態において、制御部１０からの指示によって、電池部１７からセンサ部１１への電力の供給と停止とが間欠的または断続的に行われる。予備検知状態においては、制御部１０からの指示によって電池部１７から電力が供給されてセンサ部１１が外部環境の変化を検知する動作を開始することと、制御部１０からの指示によって電池部１７からの電力の供給が停止されてセンサ部１１が外部環境の変化を検知する動作を停止することとが、間欠的または断続的に行われる。
【００４８】
以上のように、予備検知状態において電池部１７からセンサ部１１への電力の供給と停止とが間欠的または断続的に行われる、検知器１では、センサ部１１への電力の供給と停止とが間欠的または断続的に行われて、センサ部１１が間欠的または断続的に外部環境の変化を検知する。
したがって、検知器１によれば、検知状態となるまで（所定条件を満たすまで、または、電源スイッチ１４がＯＮされるまで）、無駄な電力消費を抑制しつつセンサ部１１による外部環境の変化の検知を予備的に行うことができる。またこのため、検知器１によれば、ホルダ２から取外されてから検知状態となるまでについても、例えば、人体に有害なガス等が発生し得る環境下での使用者の安全性を高めることができる。
【００４９】
検知器１では、予備検知状態において、検知状態と異なるパターンで電源表示部１５が点灯する構成とされる。
例えば、予備検知状態においては、電源表示部１５が点灯しない（消灯した状態が継続する）構成、または、電源スイッチ１４がＯＮされたときに電源表示部１５が点滅点灯する構成とされる。
【００５０】
以上のように、予備検知状態において検知状態と異なるパターンで電源表示部１５が点灯する、検知器１では、予備検知状態において、作業者が電源表示部１５を見たときに、電源スイッチ１４がＯＮされている、または、所定条件を満たしている、と誤って作業者に認識されることを防止することができる。
【００５１】
検知器１では、予備検知状態において、報知部１３による報知動作（予備検知状態であることを知らせる報知動作）が行われる構成とすることもできる。
このとき、報知部１３は、所定間隔毎（例えば、１分毎）に、報知動作を行う構成とすることもできる。また、報知部１３は、時間の経過とともに、発する報知音（音声または警報音）が次第に大きくなるように構成することもできる。また、報知部１３は、時間の経過とともに、短音から長音、または、長音から短音のように、発する報知音のパターンが変更される構成とすることもできる。
【００５２】
以上のように、予備検知状態において報知部１３による報知動作が行われる、検知器１では、予備検知状態においてセンサ部１１が動作していることを作業者が認識したときに、電源スイッチ１４がＯＮされている、または、所定条件を満たしている、と誤って作業者に認識されることを防止することができる。
【００５３】
検知器１は、ステップＳ２において所定条件を満たすと制御部１０が判断しても、予備検知状態とならない（センサ部１１が間欠的または断続的に外部環境の変化を検知する動作を開始しない）ように、スイッチ等の操作具で予め設定することもできる。
このとき、ステップＳ２において所定条件を満たすと制御部１０が判断した場合、ステップＳ１に移行する（図１参照）。
【符号の説明】
【００５４】
１    検知器
２    ホルダ
１０  制御部
１１  センサ部
１２  表示部
１３  報知部
１４  電源スイッチ
１５  電源表示部
１６  装着部
１７  電池部
１８  充電端子
２０  座部
２１  電力供給端子
【図１】
2019158895.tif 000003
【図２】
2019158895.tif 000004
【図３】
2019158895.tif 000005
【図４】
2019158895.tif 000006
【図５】
2019158895.tif 000007
【図６】
2019158895.tif 000008
【図７】
2019158895.tif 000009
【図８】
2019158895.tif 000010